(57)【要約】  無線通信システムにおいて基準信号を割り当てるための方法及び装置を開示する。開示する例示的な装置は、無線領域に割り当てられたパラメータに基づいて基準シーケンス（５０５）を生成するための基準信号生成器（５０１）を含み、この場合、パラメータは、無線領域の第１の装置によって第１の時間中に送信される第１の基準シーケンスを指定し、第１の基準シーケンスは、第１の無線領域に隣接する第２の無線領域の第２の装置に割り当てられる第２の基準シーケンスとは異なる。基準シーケンス生成器は、パラメータに基づいて第１の時間のための巡回シフトを選択するための巡回シフトセレクタ（５０３）と、選択した巡回シフトに基づいて第１の基準信号を巡回シフトするための巡回シフタ（５０６）とを含む。例示的な装置は、巡回シフトされた第１の基準シーケンスを送信するための送信アダプタ（５１０）をさらに含む。【選択図】図５
2009535936.tif 000002
【特許請求の範囲】
【請求項１】
無線領域に割り当てられたパラメータに基づいて基準シーケンスを生成する基準信号生成器を備えた装置であって、
前記パラメータは、前記無線領域の第１の装置によって第１の時間中に送信される第１の基準シーケンスを指定し、前記第１の基準シーケンスは、前記第１の無線領域に隣接する第２の無線領域の第２の装置に割り当てられた第２の基準シーケンスとは異なり、前記基準シーケンス生成器は、
前記パラメータに基づいて前記第１の時間のための巡回シフトを選択するための巡回シフトセレクタと、
前記選択された巡回シフトに基づいて前記第１の基準信号を巡回シフトするための巡回シフタと、
前記巡回シフトされた第１の基準シーケンスを送信するための送信アダプタと、
を含む、
ことを特徴とする装置。
【請求項２】
前記巡回シフトセレクタは、前記パラメータに基づいて第２の時間のための第２の巡回シフトを選択するようになっており、前記巡回シフタは、前記選択された第２の巡回シフトに基づいて前記第２の時間中に前記基準シーケンスを巡回シフトするようになっている、請求項１に記載の装置。
【請求項３】
前記パラメータは、フレーム番号、サブフレームオフセット、スロットオフセット、送信シンボルオフセット、無線領域識別子、ノードＢ識別子、ユーザエンドポイント識別子、又はグループ識別子のうちの少なくとも１つを含む、請求項１又は請求項２に記載の装置。
【請求項４】
前記巡回シフトセレクタは、一連のシフトリストから前記パラメータを取得するようになっている、請求項１又は請求項２に記載の装置。
【請求項５】
前記基準信号生成器は、ランダムな基準シーケンスを生成するようになっている、請求項１又は請求項２に記載の装置。
【請求項６】
前記基準信号生成器は、前記第１の無線領域に割り当てられた基準シーケンスの組から前記パラメータに基づいて前記基準シーケンスを選択するためのシーケンスセレクタをさらに備える、請求項１又は請求項２に記載の装置。
【請求項７】
前記シーケンスセレクタは、一連の参照リストから前記パラメータを取得するようになっている、請求項１に記載の装置。
【請求項８】
前記選択された基準シーケンスを変調するための変調器をさらに含み、該変調器は、
前記生成された基準シーケンスのフーリエ変換を行うためのフーリエ変換モジュールと、
逆フーリエ変換を行うための逆フーリエ変換モジュールと、
前記フーリエ変換の出力を、選択された前記逆フーリエ変換の入力にマッピングするためのインタフェースと、
を備える、請求項１又は請求項２に記載の装置。
【請求項９】
無線領域に割り当てられたパラメータに基づいて基準信号のシーケンスを生成するステップを含む方法であって、
前記パラメータは、前記無線領域の第１の装置によって第１の時間中に送信される第１の基準シーケンスを指定し、前記第１の基準シーケンスは、前記第１の無線領域に隣接する第２の無線領域の第２の装置に割り当てられた第２の基準シーケンスとは異なり、前記基準シーケンスの生成は、
前記パラメータに基づいて前記第１の時間の巡回シフトを選択するステップと、
前記選択された巡回シフトに基づいて前記第１の基準信号を巡回シフトするステップと、
前記巡回シフトされた第１の基準シーケンスを送信するステップと、
を含む、
ことを特徴とする方法。
【請求項１０】
前記パラメータに基づいて第２の時間のための第２の巡回シフトを選択するステップをさらに含み、
前記巡回シフトするステップは、前記選択された第２の巡回シフトに基づいて前記第２の時間中に前記基準シーケンスを巡回シフトするステップを含む、請求項９に記載の方法。
【請求項１１】
前記選択された基準シーケンスを変調するステップをさらに含み、該変調は、
前記生成された基準シーケンスのフーリエ変換を行うステップと、
逆フーリエ変換を行うステップと、
前記フーリエ変換を行うステップから得られた出力を、前記逆フーリエ変換を行うための選択された入力にマッピングするステップと、
を含む、請求項９又は請求項１０に記載の方法。
【発明の詳細な説明】
【技術分野】
【０００１】
本開示は、一般に、無線通信システムに関し、より具体的には、セルラ通信システムなどの無線通信システムにおいて基準信号を割り当てるための方法及び装置に関する。
【背景技術】
【０００２】
（セルラ通信システム、無線通信システム、無線ローカルエリアネットワークなどの）多くの通信システムにおいて、地理的エリアは（セル及び／又はセルのセクタなどの）複数の領域に分割される。セルラ通信システムでは、個々のセルにアクセスポイントが設けられ、このアクセスポイントは、ノードＢ、固定局、セルタワー、又は他の任意の適当な用語で呼ばれることがある。結果として、システムユーザは、移動装置を利用して固定局と通信を行う。この移動装置は、ユーザ装置（ＵＥ）、移動局（ＭＳ）、移動端末（ＭＴ）、ユーザ、又は他の任意の適当な用語で呼ばれることがある。例示的な移動型のＵＥには、携帯情報端末（ＰＤＡ）、ｉＰｏｄ（商標）などのＭＰ３プレーヤ、（携帯電話、ボイス・オーバー・アイピー（ＶｏＩＰ）電話、スマートフォンなどの）無線電話、（無線モデムカードなどを含む）無線通信機能付きラップトップコンピュータ等が含まれる。実質的に固定型のＵＥの例には、無線通信機能付きの任意のパーソナルコンピュータ（ＰＣ）が含まれる。個々のセルは、対応するサービングノードＢと関連付けられ、このノードＢは複数のセルにサービスを提供することができる。システムの性能を改善するために、セルをまたいで通信リソースを再利用することができ、この場合の再利用は、通信リソースの「部分的な再利用」であってもよく、或いは「完全な再利用」であってもよい。これらのリソースは、周波数、タイムスロット、シグネチャ符号、チャネル、基準信号、パイロット信号等を含むことができる。通信リソースのセルラ式再利用を採用する無線システムは、通常「セルラ式」通信システムと呼ばれる。任意の所定のセルには送信機と受信機とが同時に存在することができる。（「逆方向リンク」又は他の任意の同類語としても知られる）アップリンク通信の場合、送信機はＵＥ側にあり、受信機はノードＢ側にある。（「送信リンク」又は他の任意の同類語としても知られる）ダウンリンク通信の場合、送信機はノードＢ側にあり、受信機はＵＥ側にある。一般的に、ここでは単に「送信機」及び「受信機」と呼ぶことにする。
【０００３】
送信機と受信機との間の通信は信号を介して行われる。信号は、ａ）「情報伝達信号」、又はｂ）「基準信号」のいずれかで表すことができる。さらに、信号は、１又はそれ以上の情報伝達信号及び／又は１又はそれ以上の基準信号の組み合わせを含むことができる。情報伝達信号は、データ又は制御信号、或いはこれらの組み合わせを含むことができる。情報伝達信号は、送信機から受信機へ情報を搬送する。これに対して、「基準信号」（ＲＳ）は、送信機及び受信機に前もって明らかにされる信号であり、したがって、あらゆる検出処理又は推定処理の前に受信機により完全に識別される。このため、ＲＳを通信媒体（チャネル）の推定に使用することができる。「基準信号」のことを「パイロット信号」、「トレーニング信号」又は他の任意の同類語で呼ぶこともできる。基準信号は、チャネル推定、チャネル測深、チャネル品質推定、同期、タイミングオフセット推定、周波数オフセット推定、（データ又は制御情報で）変調される場合はキャリアとして、或いは他の任意の目的のために使用される。受信した基準信号から得られるチャネル推定はデータ復調に使用される。同じく受信した基準信号から得られるチャネル品質推定は、ユーザのスケジューリング、リンク適応、電力制御、及び／又は他の目的のために使用することができる。
【発明の開示】
【課題を解決するための手段】
【０００４】
無線通信システムにおいて基準信号を割り当てるための方法及び装置を開示する。開示するいくつかの例示的な方法は、第１の時間中に第１の基準シーケンスに対して第１の巡回シフトを適用するステップと、第２の時間中に第２の基準シーケンスに対して第２の巡回シフトを適用するステップとを含み、この場合、第１及び第２の巡回シフトは、無線領域の装置に割り当てられた巡回シフトの組の一部となる。開示するいくつかの実施例では、巡回シフトの組は、無線領域の装置が巡回シフトを適用する順序を定める。開示するいくつかの実施例では、第２の基準シーケンスは第１の基準シーケンスである。開示するいくつかの実施例では、第１の基準シーケンスはランダムに選択される。開示するいくつかの実施例では、第１及び第２の基準シーケンスは、無線領域の装置に割り当てられた基準シーケンスの組から選択される。開示するいくつかの実施例では、無線領域は、無線通信セル又は無線通信セルセクタのうちの少なくとも一方である。開示するいくつかの実施例では、第１の基準シーケンスは、実質的に一定振幅ゼロの自己相関特性を満たす基準シーケンスの組から選択され、及び／又は、基準シーケンスの組はＺａｄｏｆｆ−Ｃｈｕ系列を含む。開示するいくつかの実施例では、基準シーケンスの組は、無線領域の装置が基準シーケンスを選択する順序を定める。
【０００５】
開示するいくつかの例示的な装置は、無線領域に割り当てられたパラメータに基づいて基準シーケンスを生成するための基準信号生成器を含み、このパラメータは、無線領域の第１の装置によって第１の時間中に送信される第１の基準シーケンスを指定し、第１の基準シーケンスは、第１の無線領域に隣接する第２の無線領域の第２の装置に割り当てられた第２の基準シーケンスとは異なる。基準信号生成器は、パラメータに基づいて第１の時間のための巡回シフトを選択するための巡回シフトセレクタと、選択された巡回シフトに基づいて第１の基準信号を巡回シフトするための巡回シフタとを含む。例示的な基準信号生成器は、巡回シフトされた第１の基準信号を送信するための送信アダプタをさらに含む。
【０００６】
開示するいくつかの実施例では、装置は、第１の無線領域に割り当てられた基準シーケンスの組からパラメータに基づいて基準シーケンスを選択するためのシーケンスセレクタをさらに含む。開示するいくつかの実施例では、装置は、選択された基準シーケンスを変調するための変調器をさらに含む。いくつかの実施例では、変調器は、生成された基準信号のフーリエ変換を行うためのフーリエ変換モジュールと、逆フーリエ変換を行うための逆フーリエ変換モジュールと、フーリエ変換の出力を、選択された逆フーリエ変換の入力にマッピングするためのインタフェースとを含む。開示するいくつかの実施例では、巡回シフトセレクタは、パラメータに基づいて第２の時間のための第２の巡回シフトを選択するようになっており、巡回シフタは、選択された第２の巡回シフトに基づいて第２の時間中に基準シーケンスを巡回シフトするようになっている。いくつかの実施例では、パラメータは、フレーム番号、サブフレームオフセット、スロットオフセット、送信シンボルオフセット、無線領域識別子、ノードＢ識別子、ユーザエンドポイント識別子、又はグループ識別子のうちの少なくとも１つを含む。開示するいくつかの実施例では、基準信号生成器は、ランダムな基準シーケンスを生成するようになっている。開示するいくつかの実施例では、巡回シフトセレクタは、一連のシフトリストからパラメータを取得するようになっている。開示するいくつかの実施例では、シーケンスセレクタは、一連の参照リストからパラメータを取得するようになっている。
【０００７】
開示するいくつかの例示的な製造の物品は機械アクセス可能命令を格納し、この命令は、実行時、機械が第１の時間中に第１の基準シーケンスに第１の巡回シフトを適用するようにし、第２の時間中に第２の基準シーケンスに第２の巡回シフトを適用するようにするものであり、この場合、第１及び第２の巡回シフトは、無線領域の装置に割り当てられた巡回シフトの組の一部となる。開示するいくつかの実施例では、機械アクセス可能命令は、実行時、機械に第１の基準シーケンスをランダムに選択させる。開示するいくつかの実施例では、機械アクセス可能命令は、実行時、機械に第１の基準シーケンスをランダムに選択させて、無線領域の装置に割り当てられた基準シーケンスの組から第１及び第２の基準シーケンスを選択するようにする。開示するいくつかの実施例では、機械アクセス可能命令は、実行時、機械に第１の基準シーケンスをランダムに選択させて、実質的に一定振幅ゼロの自己相関特性を満たす基準シーケンスの組から第１の基準シーケンスを選択するようにする。開示するいくつかの実施例では、巡回シフトの組は、無線領域の装置が巡回シフトを適用する順序を定める。開示するいくつかの実施例では、第２の基準シーケンスは第１の基準シーケンスである。開示するいくつかの実施例では、基準シーケンスの組は、無線領域の装置が基準シーケンスを選択する順序を定める。開示するいくつかの実施例では、基準シーケンスの組は一連の参照リストにより定められる。開示するいくつかの実施例では、無線領域は、無線通信セル又は無線通信セルセクタのうちの少なくとも一方である。開示するいくつかの実施例では、基準シーケンスの組はＺａｄｏｆｆ−Ｃｈｕ系列を含む。開示するいくつかの実施例では、割り当てられる巡回シフトの組は、一連のシフトリストにより定められる。
【０００８】
開示するいくつかの例示的な方法は、第１の無線通信領域のための第１の一連の参照リストを選択するステップ含み、第１の無線通信領域のユーザエンドポイントは、第１の一連の参照リストに従って基準信号を送信するようになっており、この方法はさらに、第２の無線通信領域のための第２の一連の参照リストを選択するステップを含み、第２の無線通信領域のユーザエンドポイントは、第２の一連の参照リストに従って基準信号を送信ようになっており、第１及び第２の一連の参照リストは、第１の無線通信領域のユーザエンドポイントと第２の無線通信領域のユーザエンドポイントとの間の干渉を低減するように選択される。開示するいくつかの実施例では、第１及び第２の一連の参照リストは、それぞれの基準信号を送信する順序を定める。開示するいくつかの実施例では、第１の無線通信領域は第１の無線通信セルセクタであり、第２の無線通信領域は第２の無線通信セルセクタである。開示するいくつかの実施例では、第１の無線通信領域は第１の無線通信セルであり、第２の無線通信領域は第２の無線通信セルである。開示するいくつかの実施例では、第１の無線通信領域の第１のユーザエンドポイントは、第１の時間中に第１の基準信号を送信し、第２の時間中に第２の基準信号を送信するようになっており、第１の基準信号及び第２の基準信号は異なるものであると共に第１の一連の参照リストにより定められる。開示するいくつかの実施例では、第１の無線通信領域の第１のユーザエンドポイントは、第１の基準信号に第１の巡回シフトを適用し、第２の基準信号に第２の巡回シフトを適用するようになっている。開示するいくつかの実施例では、第１及び第２の巡回シフトは、第１の無線通信領域の第１のユーザエンドポイントに割り当てられた一連のシフトリストにより定められる。開示するいくつかの実施例では、第１の無線通信領域の第２のユーザエンドポイントに割り当てられた第２の一連のシフトリストは、第１の無線通信領域の第１のユーザエンドポイントに割り当てられた一連のシフトリストとは異なる。開示するいくつかの実施例では、第１の無線通信領域の第２のユーザエンドポイントは、第１の時間中に第１の基準信号を送信するようになっており、この第１の無線通信領域の第２のユーザエンドポイントは、第２の時間中に第２の基準信号を送信するようになっている。開示するいくつかの実施例では、第１の無線通信領域の第１のユーザエンドポイントは、第１の時間中に第１の周波数を使用して第１の基準信号を送信するようになっており、第１の無線通信領域の第２のユーザエンドポイントは、第１の時間中に第２の周波数を使用して第１の基準信号を送信するようになっている。
【０００９】
開示するいくつかの例示的な方法は、無線領域に割り当てられた一連の参照リストに基づいて基準信号を選択するステップを含み、この一連の参照リストは、無線領域内の装置が基準信号を送信する順序を定め、この方法はさらに、選択された基準信号を第１の時間中に無線領域の第１の装置を使用して送信するステップを含む。
【００１０】
開示するいくつかの例示的な方法は、無線領域に隣接する第２の無線領域に第２の一連の参照リストを割り当てるステップを含む。開示するいくつかの例示的な方法は、無線通信セルに割り当てられた一連の参照リストから第２の基準信号を選択するステップと、選択された第２の基準信号を第２の時間中に第１の装置を使用して送信するステップとを含む。開示するいくつかの実施例は、一連の参照リストを表すデータ構造を受信するステップを含む。開示するいくつかの実施例は、第１の装置に割り当てられた一連のシフトリストに基づいて巡回シフトを選択するステップを含み、この一連のシフトリストは、巡回シフトが基準信号に適用される順序を定め、この方法はさらに、選択された巡回シフトに基づいて第１の時間中に基準信号を巡回シフトするステップを含む。開示するいくつかの実施例は、選択された基準信号を、第１の装置に割り当てられた周波数を使用して第１の時間中に送信するステップを含む。
【００１１】
開示するいくつかの例示的な方法は、無線領域に割り当てられた一連の参照リストから第２の基準信号を選択するステップと、第１の装置に割り当てられた一連のシフトリストから第２の巡回シフトを選択するステップと、選択された第２の巡回シフトに基づいて第２の基準信号を巡回シフトするステップと、巡回シフトされた第２の基準信号を第２の時間中に無線領域の第１の装置を使用して送信するステップとを含む。開示するいくつかの実施例では、第１及び第２の一連の参照リストは、少なくとも１つの時間枠に対して異なる基準信号を定める。開示するいくつかの実施例では、無線領域は、無線通信セル又は無線通信セルセクタのうちの少なくとも一方である。開示するいくつかの実施例では、無線領域の第２の装置は、選択された基準信号を第１の時間中に送信する。開示するいくつかの実施例では、基準信号は、時間情報、共有データ、又はカウンタのうちの少なくとも１つに基づく無線通信セルに基づいて選択される。開示するいくつかの実施例では、第１及び第２の装置は、第１の時間中に、選択された基準信号に異なる巡回シフトを適用する。
【００１２】
開示するいくつかの例示的な装置は、第１の一連の参照リストを生成し、第２の一連の参照リストを生成し、第１の一連の参照リストを第１の無線通信領域に割り当て、第２の一連の参照リストを第２の無線通信領域に割り当てるための基準シーケンスアロケータと、第１の一連の参照リストに従って基準信号を送信するための第１の無線通信領域のユーザエンドポイントと、第２の一連の参照リストに従って基準信号を送信するための第２の無線通信領域のユーザエンドポイントとを含む。いくつかの例示的な装置はさらに、第１の一連の参照リストを第１の無線通信領域の装置へ送信するためのインタフェースを含む。開示するいくつかの実施例では、第１の一連の参照リスト及び第２の一連の参照リストは、基準信号周期の間に異なる基準信号の送信を必要とする。開示するいくつかの実施例では、第１の無線通信領域の第１のユーザエンドポイントは、第１の時間中に第１の基準信号を送信し、第２の時間中に第２の基準信号を送信するようになっており、第１の基準信号及び第２の基準信号は、第１の一連の参照リストにより定められる。開示するいくつかの実施例では、第１の無線通信領域の第１のユーザエンドポイントは、第１の基準信号に第１の巡回シフトを適用し、第２の基準信号に第２の巡回シフトを適用するようになっている。開示するいくつかの実施例では、第１及び第２の巡回シフトは、第１の無線通信領域の第１のユーザエンドポイントに割り当てられた一連のシフトリストにより定められる。開示するいくつかの実施例では、第１の無線通信領域の第２のユーザエンドポイントに割り当てられた第２の一連のシフトリストは、第１の無線通信領域の第１のユーザエンドポイントに割り当てられた一連のシフトリストとは異なる。開示するいくつかの実施例では、第１の無線通信領域の第２のユーザエンドポイントは、第１の時間中に第１の基準信号を送信するようになっており、この第１の無線通信領域の第２のユーザエンドポイントは、第２の時間中に第２の基準信号を送信するようになっている。
【発明を実施するための最良の形態】
【００１３】
実際には、無線通信信号はセルの境界によって制限されない。この結果、通信リソースの再利用により、異なるセル内に配置されたユーザエンドポイント間、又は同じセル内に配置されたユーザエンドポイント間において干渉が生じる場合がある。さらに、任意の所定の送信機−受信機の対が同じ基準信号を選択し続けることにより、干渉の平均化が時間をかけて行われないため、（隣接する送信機−受信機の対から見て）望ましくない干渉の統計がもたらされる場合がある。本特許は、送信機に基準信号を割り当てるための例示的な方法及び装置について説明するものであり、この送信機はこのような干渉の落とし穴を回避する。「基準シーケンス」という用語と「基準信号」という用語は、同義的に使用することができる。開示するいくつかの実施例では、基準信号とは、基準シーケンスの変調された、巡回シフトされた、及び／又は送信された形態のことである。しかしながら、基準信号はまた、未変調の、未シフトの、及び／又は未送信の信号のことを意味することもある。したがって、基準信号及び／又は基準シーケンスは、基準信号の間、パイロット信号の間、チャネル推定中、その他の時間中にＵＥ及び／又はノードＢが送信する信号を定め、指定し、表すものであり、及び／又はこの信号を生成するために使用することができる。開示する例示的な方法及び装置は、直交周波数分割多重（ＯＦＤＭ）ベースのシステムにおいて特段の適用性を有し、この場合、望ましい特性を有する基準信号が選択されることは比較的まれである。これらのＯＦＤＭベースのシステムは、以下に限定されるわけではないが、ＯＦＤＭ、直交周波数分割多重接続（ＯＦＤＭＡ）、離散フーリエ変換（ＤＦＴ）−ｓｐｒｅａｄ  ＯＦＤＭ、ＤＦＴ−ｓｐｒｅａｄ  ＯＦＤＭＡ、シングルキャリア（ＳＣ）−ＯＦＤＭ、ＳＣ−ＯＦＤＭＡ、マルチキャリア（ＭＣ）−ＯＦＤＭ、ＭＣ−ＯＦＤＭＡ、及びその他を含む。本特許の教示は、セルラシステムを超えて適用可能であり、例えば、無線ローカルエリアネットワーク、メッシュネットワーク、アドホックネットワーク、及び／又は（ＣＤＭＡ及び／又はその他などの）その他の無線通信システムなどの別の用途に適用可能である点を理解されたい。
【００１４】
図１及び図２は、２つの例示的なＲＳ基準信号生成器を示す図である。図１の実施例では、１０１の基準信号生成器が、基準シーケンスセレクタ１０２、基準シーケンス生成器１０４、巡回シフトセレクタ１０３、巡回シフタ１０６、及びＲＳ変調器１０８を含む。例示的な基準信号生成器１０１は以下のように動作する。基準シーケンスセレクタ１０２は、１又はそれ以上の予め定義され、生成され、計算された、及び／又はランダムな基準シーケンスの組からいずれの基準シーケンスを送信すべきかを選択する。次に、基準シーケンスセレクタ１０２は基準シーケンス生成器１０４を構成し、この基準シーケンス生成器１０４が基準シーケンス１０５を生成する。一般に、（基準シーケンス１０５などの）基準シーケンスは、基準信号周期中に送信される（サンプル、ビット、及び／又は値などの）１又はそれ以上の要素から成る。巡回シフトセレクタ１０３は、１又はそれ以上の予め定義され、生成され、計算された、及び／又はランダムな巡回シフトの組から、選択された基準シーケンス１０５にいずれの巡回シフト（存在する場合）を適用すべきかを選択する。巡回シフトセレクタは巡回シフタ１０６を構成する。巡回シフタ１０６は、（有効であれば）基準シーケンス１０５の巡回シフトを行って、巡回シフトされた基準シーケンス１０７を生成する。図５及び図６に関連して以下で説明するように、フレーム番号、サブフレームオフセット、スロットオフセット、ノードＢ識別子（ノードＢ  ＩＤ）、セルグループＩＤ、ＵＥ  ＩＤ、及び／又は擬似ノイズ生成器のシードなどの時間及び／又は共有情報に基づいて、ＲＳセレクタ１０２により選択された（単複の）基準シーケンス、及び／又は巡回シフトセレクタ１０３により選択された巡回シフト（存在する場合）を実行することができる。巡回シフトされた基準シーケンス１０７はＲＳ変調器１０８に転送され、このＲＳ変調器１０８が巡回シフト基準シーケンス１０７をさらに変更して基準信号１０９を生成する。第３世代パートナーシッププロジェクト（３ＧＰＰ）の技術研究グループ（ＴＳＰ）の無線アクセスネットワーク（ＲＡＮ）ワーキンググループ１（ＷＧ１）が現在策定中のＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）仕様、符号分割多元接続（ＣＤＭＡ）、ＯＦＤＭ、ＯＦＤＭＡ、ＤＦＴ−Ｓｐｒｅａｄ  ＯＦＤＭＡ、ＤＦＴ−Ｓｐｒｅａｄ  ＯＦＤＭ、電気電子技術者協会（ＩＥＥＥ）８０２．１１ｘ規格ファミリ、広帯域符号分割多元接続（ＷＣＤＭＡ）、時分割多元接続（ＴＤＭＡ）、及び／又はこれらの任意の組み合わせに従って実現された変調器を含む任意の変調器により、ＲＳ変調器１０８を実現することができる。ＲＳ変調器１０８の異なる２つの実施例を図３及び図４に示す。基準信号１０９を無線送信にさらに適合させることができる。
【００１５】
図２の例示的な基準信号生成器２０１は、基準シーケンスセレクタ２０２、基準シーケンス生成器２０４、巡回シフトセレクタ２０３、巡回シフタ２０６、及びＲＳ変調器２０８を含む。図２の例示的な基準信号生成器２０１は以下のように動作する。基準シーケンスセレクタ２０２は、１又はそれ以上の予め定義され、生成され、計算された、及び／又はランダムな基準シーケンスの組からいずれの基準シーケンスを送信すべきかを選択する。次に、基準シーケンスセレクタ２０２は基準シーケンス生成器２０４を構成し、この基準シーケンス生成器２０４が基準シーケンス２０５を生成する。基準シーケンス２０５は、基準信号周期中に送信される（サンプル、ビット、及び／又は値などの）１又はそれ以上の要素から成る。基準シーケンス２０５はＲＳ変調器２０８に転送され、このＲＳ変調器２０８が変調されたＲＳ系列２０７を生成する。巡回シフトセレクタ２０３は、１又はそれ以上の予め定義され、生成され、計算された、及び／又はランダムな巡回シフトの組から、変調された基準シーケンス２０５に（存在する場合には）いずれの巡回シフトを適用すべきかを選択する。巡回シフトセレクタ２０３は巡回シフタ２０６を構成する。巡回シフタ２０６は、（有効であれば）変調された基準シーケンス２０７の巡回シフトを行って基準信号２０９を生成する。図５及び６に関連して以下で説明するように、フレーム番号、サブフレームオフセット、スロットオフセット、セル（グループ）ＩＤ、ノードＢ  ＩＤ、ＵＥ  ＩＤ、及び／又は擬似ノイズ生成器のシードなどの時間及び／又は共有情報に基づいて、ＲＳセレクタ２０２により選択された（単複の）基準シーケンス、及び／又は巡回シフトセレクタ２０３により選択された巡回シフト（存在する場合）を実行することができる。３ＧＰＰ  ＴＳＰ  ＲＡＮ  ＷＧ１によって現在策定中のＥ−ＵＴＲＡ仕様、ＣＤＭＡ、ＯＦＤＭ、ＯＦＤＭＡ、ＤＦＴ−Ｓｐｒｅａｄ  ＯＦＤＭＡ、ＤＦＴ−Ｓｐｒｅａｄ  ＯＦＤＭ、ＩＥＥＥ８０２．１１ｘ規格ファミリ、ＷＣＤＭＡ、ＴＤＭＡ、及び／又はこれらの任意の組み合わせに従って実現された変調器を含む任意の変調器により、ＲＳ変調器２０８を実現することができる。ＲＳ変調器１０８の異なる２つの実施例を図３及び図４に示す。基準信号２０９を無線送信にさらに適合させることができる。
【００１６】
例示的なＲＳ生成器１０１及び２０１を図１及び図２に示したが、任意の数及び／又は（単複の）種類の代替の及び／又は追加のプロセッサ、装置、構成要素、回路、モジュール、インタフェース等を使用して、このＲＳ生成器１０１及び２０１を実行することができる。さらに、図１及び／又は図２に示したプロセッサ、装置、構成要素、回路、モジュール、要素、インタフェース等の１又はそれ以上を他の任意の方法で結合し、再配置し、削除し、及び／又は実行することができる。例えば、例示的な基準信号生成器１０４を省いたり、事前計算及び／又はプレロードされた基準信号を格納するメモリ及び／又はメモリ装置で置き換えたり、及び／又は実現したりすることができる。さらに、ファームウェア、ソフトウェア、ロジック、及び／又はハードウェアの任意の組み合わせとして、例示的なＲＳセレクタ１０２及び２０２、例示的な巡回シフトセレクタ１０３及び２０３、例示的なＲＳ生成器１０４及び２０４、例示的な巡回シフタ１０６及び２０６、例示的なＲＳ変調器１０８及び２０８、及び／又は、より一般的には、例示的なＲＳ生成器１０１及び２０１を実現することができる。さらに、図１及び／又は図２に示したものの代わりに、又はこれらに加えて、例示的なＲＳ生成器１０１及び２０１は、プロセッサ、装置、構成要素、回路、インタフェース、及び／又はモジュールを含むことができ、及び／又は、図示のプロセッサ、装置、構成要素、回路、インタフェース、及び／又はモジュールのいずれか又は全てのうちの２以上を含むことができる。
【００１７】
前述のように、ＲＳ変調器（１０８又は２０８）をＯＦＤＭ（Ａ）変調器として実現することができる。例示的なＯＦＤＭ（Ａ）変調器３０１を図３に示す。図３の例示的なＲＳ変調器３０１は、調整器３０２、トーンマップ３０３、及び逆離散フーリエ変換（ＩＤＦＴ）３０４を含む。図３の例示的なＲＳ変調器３０１には入力サンプル３０５が提供され、この入力サンプル３０５は、巡回シフトされた基準シーケンス１０７又は基準シーケンス２０５のいずれであってもよい。ＲＳ変調器３０１は以下のように動作する。入力サンプル３０５の長さが、割り当てられたトーン数に一致しない場合があるため、最初に入力サンプル３０５を調整器３０２で調整することができる。調整器３０２は、例えば、切り捨て、ブロック反復、ＤＦＴ、順列、巡回拡大、マトリックス乗算、他の任意の動作、及び／又はこれらの組み合わせを含む任意の所望の処理動作を入力サンプル３０５に対して行うことができる。次に、調整されたサンプル３０６がトーンマップ３０３に転送され、このトーンマップ３０３が、指定されたＩＤＦＴ入力トーンの組３１１に調整サンプル３０６をマッピングする。トーンマップは任意のものであってもよい。例えば、トーンマップは、（例えば、トーンＷ1から始まりトーンＷ2までの全てのトーンを使用する）連続したトーンの組であってもよく、或いはトーンマップは、（例えば、トーンＷ1から始まりトーンＷ2までのＶ番目ごとのトーンを使用する）等間隔のトーンの組であってもよい。他のＩＤＦＴ入力には、（図３の３０７で集合的に及び／又は個別に表すように）他の信号又はゼロパディングが存在してもよい。次に、ＩＤＦＴは自己の入力サンプル（３１１及び３０７）の全てを変換して出力サンプル３０８を作成し、この出力サンプル３０８がＲＳ変調器３０１により出力される。１又はそれ以上の高速フーリエ変換（ＦＦＴ）アルゴリズムを使用してＩＤＦＴを実行することができる。
【００１８】
上述のように、ＤＦＴ−Ｓｐｒｅａｄ  ＯＦＤＭ（Ａ）変調器によりＲＳ変調器（１０８又は２０８）を実現することができる。例示的なＤＦＴ−Ｓｐｒｅａｄ  ＯＦＤＭ（Ａ）変調器４０１を図４に示す。ＲＳ変調器４０１は、調整器４０２、トーンマップ４０３、ＩＤＴＦ  ４０４、及び離散フーリエ変換４０９を含む。例示的なＲＳ変調器４０１には入力サンプル４０５が提供され、この入力サンプル４０５は、巡回シフトされた基準シーケンス１０７又は基準シーケンス２０５のいずれであってもよい。ＲＳ変調器４０１は以下のように動作する。まず、ＤＦＴ４０９により入力サンプルが変換入力サンプル４１０に変換される。例えば、入力サンプルの長さが、割り当てられたトーン数に一致しない場合があるため、次に変換入力サンプル４１０を調整器４０２で調整することができる。調整器４０２は、例えば、切り捨て、ブロック反復、ＤＦＴ、順列、巡回拡大、マトリックス乗算、他の任意の動作、及び／又はこれらの組み合わせを含む任意の動作を変換入力サンプル４１０に対して行うことができる。次に、調整されたサンプル４０６がトーンマップ４０３に転送され、このトーンマップ４０３が、指定されたＩＤＦＴ入力トーンの組４１１に調整サンプル４０６をマッピングする。トーンマップは任意のものであってもよい。例えば、トーンマップは、（例えば、トーンＷ1から始まりトーンＷ2までの全てのトーンを使用する）連続したトーンの組であってもよく、或いはトーンマップは、（例えば、トーンＷ1から始まりトーンＷ2までのＶ番目ごとのトーンを使用する）等間隔のトーンの組であってもよい。他のＩＤＦＴ入力には、（４０７で集合的に及び／又は個別に表すように）他の信号又はゼロパディングが存在してもよい。次に、ＩＤＦＴは自己の入力サンプル（４１１及び４０７）の全てを変換して出力サンプル４０８を作成し、この出力サンプル４０８がＲＳ変調器４０１により出力される。１又はそれ以上の高速フーリエ変換（ＦＦＴ）アルゴリズムを使用してＩＤＦＴの動作を実行することができる。代替の実施例では、調整器４０２の動作とＤＦＴ４０９の動作とを置き換えることができる（すなわち、最初に４０２で入力サンプル４０５を調整し、その後ＤＦＴ４０９を適用する）。
【００１９】
例示的なＲＳ変調器３０１及び４０１を図３及び図４に示したが、任意の数及び／又は（単複の）種類の代替の及び／又は追加のプロセッサ、装置、構成要素、回路、モジュール、インタフェース、その他を使用して、このＲＳ変調器３０１及び４０１を実行することができる。例えば、ＲＳ変調器３０１、４０１は、コントローラ、ユーザデータインタフェース、フレーム、パケタイザ、ユーザデータ変調器等を含むことができる。さらに、図３及び／又は図４に示したプロセッサ、装置、構成要素、回路、モジュール、要素、インタフェース、その他の１又はそれ以上を他の任意の方法で結合し、再配置し、削除し、及び／又は実行することができる。さらに、ファームウェア、ソフトウェア、ロジック、及び／又はハードウェアの任意の組み合わせとして、例示的な調整器３０２及び４０２、例示的なトーンマップ３０３及び４０３、例示的なＩＤＦＴ３０４及び４０４、例示的なＤＦＴ４０９、及び／又は、より一般的には、例示的なＲＳ変調器３０１及び４０１を実行することができる。さらに、図３及び／又は図４に示したものの代わりに、又はこれらに加えて、例示的なＲＳ変調器３０１及び４０１は、プロセッサ、装置、構成要素、回路、インタフェース、及び／又はモジュールを含むことができ、及び／又は、図示のプロセッサ、装置、構成要素、回路、インタフェース、及び／又はモジュールのいずれか又は全てのうちの２以上を含むことができる。
【００２０】
いくつかの実施例では、基準シーケンス（１０５又は２０５又は５０５又は６０５）としてＣＡＺＡＣ系列を利用する。ＣＡＺＡＣ系列とは、以下の特性、１）一定振幅（ＣＡ）、及び２）ゼロの周期的自己相関（ＺＡＣ）を有する複素数値系列のことである。ＣＡＺＡＣ系列の例には、（以下に限定されるわけではないが）Ｃｈｕ系列、Ｆｒａｎｋ−Ｚａｄｏｆｆ系列、Ｚａｄｏｆｆ−Ｃｈｕ（ＺＣ）系列、及びＧｅｎｅｒａｌｉｚｅｄ  Ｃｈｉｒｐ−Ｌｉｋｅ（ＧＣＬ）系列が含まれる。今のところＣＡＺＡＣ（ＺＣ又はそれ以外）系列が好まれている。以下で定義されるようなＺａｄｏｆｆ−Ｃｈｕ（ＺＣ）系列は、ＣＡＺＡＣ系列の代表的な例である。
ａm（ｋ）＝ｅｘｐ［ｊ２ｐ（ｍ／Ｎ）［ｋ（ｋ＋１）／２＋ｑｋ］］  Ｎが奇数の場合
ａm（ｋ）＝ｅｘｐ［ｊ２ｐ（ｍ／Ｎ）［ｋ2／２＋ｑｋ］］  Ｎが偶数の場合
ＺＣ定義の代替の規則では、上記の公式の「ｊ」（単位複素数）が「−ｊ」に置き換えられる。いずれの規則を採用することもできる。代表的なＣＡＺＡＣの例に関しては、２００３年、Ｊｏｈｎ  Ｗｉｌｅｙ  ａｎｄ  Ｓｏｎｓ社のＫ．Ｆａｚｅｌ及びＳ．Ｋｅｉｓｅｒ著「マルチキャリア及びスペクトラム拡散システム」の５３頁から引用した（Ｆａｚｅｌ及びＫｅｉｓｅｒ氏の著書は、その全体が本明細書に引用として組み入れられる）。上記の公式では、「ｍ」及び「Ｎ」は、相対的に素数であり、「ｑ」は、任意の固定小数点整数である（例えば、ｑ＝０の場合ｑｋ＝０となり計算が簡単になるので、ｑ＝０は適切な選択である）。また、「Ｎ」は系列長であり、「ｋ」は系列要素のインデックス（ｋは｛０、１、．．．、Ｎ−１｝）であり、「ｍ」は、ルートＺＣ系列のインデックスである。「Ｎ」を素数にすると、最適な相互相関を有するルートＺＣ系列の組が最大化される。したがって、「Ｎ」が素数の場合、「ｍ」に関しては「（Ｎ−１）」個の選択が可能であり、この場合、個々の選択により異なるルートＺＣ  ＣＡＺＡＣ系列が得られる。Ｚａｄｏｆｆ−Ｃｈｕ、ＺＣ、及びＺＣ  ＣＡＺＡＣという語は、一般に同義的に使用される。ＣＡＺＡＣという語は、ＺＣ又はそれ以外のような任意のＣＡＺＡＣ系列を意味する。
【００２１】
好ましい実施例では、基準シーケンス（１０５又は２０５又は５０５又は６０５）は、ＺＣ系列などのルート一定振幅ゼロ自己相関（「ＣＡＺＡＣ」）系列から構築される。選択されたＣＡＺＡＣ系列への追加の変更は、複素定数による乗算、ＤＦＴ、ＩＤＦＴ、ＦＦＴ、ＩＦＦＴ、巡回シフト、ゼロパディング、系列ブロック反復、系列切り捨て、系列巡回拡大、及び／又はその他の演算のいずれかを使用して行うことができる。したがって、好ましい実施例では、ＵＥは、利用可能な（Ｎ−１）個のルートＺＣ  ＣＡＺＡＣ系列の組から基準シーケンスを構築することになる。巡回シフトは以下のように行われる。すなわち、任意の系列［ｃ（０）ｃ（１）ｃ（２）．．．ｃ（Ｍ−１）］に関して、対応する巡回シフトされた系列は、［ｃ（ｓ）ｃ（ｓ＋１）ｃ（ｓ＋２）．．．ｃ（Ｍ−１）ｃ（０）ｃ（１）．．．ｃ（ｓ−１）］となり、この場合ｓは巡回シフトの値である。巡回シフトは、巡回シフタ（１０６又は２０６又は５０６又は６０６）により行われる。
【００２２】
例示的な送信機では、以下の数式に従って、基準シーケンスセレクタ２０２（又は１０２）は基準シーケンス２０５（又は１０５）のインデックス「ｍ」を選択し、巡回シフトセレクタ２０３（又は１０３）は巡回シフト「ｓ」を選択する。
ｍ＝ｆ（ｔ，ｘ）
ｓ＝ｇ（ｔ，ｘ）
【００２３】
この場合、「ｆ」及び「ｇ」は関数従属を意味する。基準シーケンス２０５は、ＺＣ  ＣＡＺＡＣ系列の集合から選択することができる。上記の公式では、「ｔ」は情報のベクトル（ｔ1、ｔ2、ｔ3、ｔ4、他）であり、この値は時間の経過と伴に直接変化する。例えば、ベクトル「ｔ」は、システムフレーム番号（ｔ1）、サブフレームオフセット（ｔ2）、スロットオフセット（ｔ3）、送信シンボルオフセット（ｔ4）、及び／又は他の任意の追加の時間変化する情報（ｔ5、ｔ6、他）のうちのいずれか又は全てを含むことができる。時間に依存しない（又はゆっくり変化する、時間に半分依存しない）情報は、ベクトルｘに見出される。例えば、ベクトル「ｘ」（ｘ1、ｘ2、ｘ3、他）は、送信機と受信機との間で共有されるセル（又はセルグループ）ＩＤ（ｘ1）、ＵＥ（又はＵＥグループ）ＩＤ（ｘ2）、擬似ノイズ生成器のシード（ｘ3）、ノードＢ  ＩＤ（ｘ4）、及び／又は他の任意の時間変化しない（又は時間に半分依存しない）情報（ｘ5、他）を含むことができる。例えば、この他の時間に依存しない情報は、（アクティブな又は非アクティブな）システム内の他のいくつかのＵＥのＩＤ、初期の巡回シフトのオフセット、又は他の任意の情報であってもよい。この例では、「ｆ」及び「ｇ」はいずれの関数であってもよく、上述のベクトル（ｘ及びｔ）の個々の成分もまた、独立しているとみなされる場合にはサブベクトルであってもよい。例えば、関数ｆ（ｔ，ｘ）が擬似乱数生成器を定義し、及び／又は擬似乱数生成器が（線形フィードバックシフトレジスタなどを使用して）この関数を実行することができる。シフトレジスタは、ノードＢ  ＩＤの全体又は一部、或いはセルＩＤの全体又は一部のいずれかによって初期化される。シフトレジスタは、ａ1ｔ1＋ａ2ｔ2＋ａ3ｔ3回（この場合、ａ1、ａ2、及びａ3は任意の定数である）クロック制御され、シフトレジスタの最終的な内容が、基準シーケンスの選択及び／又は生成に使用されるインデックスｍを定義し、及び／又はこのインデックスｍにマッピングを行う。同様に、シフトレジスタにより関数ｇ（ｔ，ｘ）を実行することができるが、この関数は、異なる可能性のある定数で、及び／又は異なる入力を使用して実行される。例えば、ノードＢ  ＩＤを使用して、及び／又はβ1ｔ1＋β2ｔ2＋β3ｔ3（この場合、β1、β2、及びβ3は、定数α1、α2、及びα3と同じ及び／又は異なることもある任意の定数である）を使用して、関数ｇ（ｔ，ｘ）を実行する擬似乱数順列生成器を初期化及び／又はオフセットすることができる。擬似乱数順列生成器は、ノードＢに属する１又はそれ以上の事前に並べ替えたセルＩＤ、及び／又はノードＢに属する１又はそれ以上の事前に並べ替えたＵＥ  ＩＤに適用される順列を結果としてもたらす。適用される順列の１又はそれ以上の結果（置換したセルＩＤ又は置換したＵＥ  ＩＤ）は、次に、予め設定され、計算され、及び／又は生成された巡回シフト「ｓ」の組の上にマッピングされ、例えば、「ｓ」は、考えられる巡回シフト｛０、Ｋ、２Ｋ、３Ｋ、．．．、ｕＫ｝及び適用される順列の結果から選択され、この場合Ｋは任意の整数であってもよい。しかしながら、関数ｆ（ｔ，ｘ）及びｇ（ｔ，ｘ）を同じ方法で実行する必要はない。
【００２４】
図５は、本発明の教示により構築される例示的な送信機−受信機の対を示す図である。図５の実施例は、基準信号生成器５０１と、送信（Ｔｘ）アダプタ５１０と、チャネル５１３と、受信（Ｒｘ）アダプタ５１７と、推定器５１８と、時間及び共有情報５１４とを含む。例示的な基準信号生成器５０１は、基準シーケンスセレクタ５０２と、基準シーケンス生成器５０４と、ＲＳ変調器５０８と、巡回シフトセレクタ５０３と、巡回シフタ５０６とをさらに含む。例示的な推定器５０８は、基準シーケンスセレクタ５２２と、巡回シフトセレクタ５２０と、基準信号プロセッサ５２１とをさらに含む。図５の実施例では、時間及び共有情報５１４は、送信機（基準信号生成器５０１は送信機の構成要素である）と受信機（推定器５１８は受信機の構成要素である）との間で共有／使用される。この時間及び共有情報５１４は、２つのベクトルｘ（共有情報）及びｔ（時間情報）によって表される。ベクトルｘ及びｔは、送信機及び受信機の両方に明らかにされる。同報通信、直接又は間接シグナリング、又は他の任意の情報共有方法により上記の明示化を行うことができる。送信の基準信号セレクタ５０２と受信の基準シーケンスセレクタ５２２との両方がｍ＝ｆ（ｔ，ｘ）を実行して、共通の選択された基準シーケンスに到達する。送信の巡回シフトセレクタ５０３及び受信の巡回シフトセレクタ５２０の両方がｓ＝ｇ（ｔ，ｘ）を実行して、共通の選択された巡回シフトに到達する。したがって、任意の所定の時間に、任意の所定の送信機−受信機の対が、共通の基準シーケンス及び共通の巡回シフトを選択することになる。また、選択される基準シーケンス及び／又は巡回シフトの選択肢は、任意の所定の送信機−受信機の対に対して時間を通じて変化する。これにより、隣接する通信リンクに対する干渉のランダム化が行われる。基準シーケンスセレクタ５０２が基準シーケンスを選択し、巡回シフトセレクタ５０３が巡回シフトを選択すると、図２で前述したように送信の残りの部分が行われる。基準シーケンス生成器５０４は基準シーケンスを生成し、次にこの基準シーケンスがＲＳ変調器５０８を使用して変調され、次にＲＳ変調器５０８の出力が巡回シフタ５０６により巡回シフトされる。次に、上記の結果得られる基準信号５０９が（Ｔｘアダプタ５１０などを使用して）さらなる送信に適合され、この適合された基準信号５０９は、巡回プリフィックス又はガードタイムの挿入、デジタル−アナログ変換、上方／下方周波数変換、他の任意の動作、及び／又はこれらの組み合わせを含むことができる。Ｔｘアダプタ５１０は、適合された基準信号を無線で送信する少なくとも１つのアンテナ５１１を備えることができる。適合された基準信号５１２は、電波でチャネル変更を受け（５１３）、受信され（５１５）、Ｒｘアダプタ５１７を使用して適合される。１又はそれ上の受信機アンテナ５１６は、例示的なＲｘアダプタ５１７の構成要素であってもよい。例示的なＲｘアダプタ５１７は、巡回プリフィックス又はガードタイムの削除／挿入、アナログ−デジタル変換、上方／下方周波数変換、他の任意の操作、及び／又はこれらの組み合わせを行うことができる。Ｒｘアダプタ５１７は、適合されたサンプル５１９を、（基準シーケンスセレクタ５２２からの）基準シーケンスの選択権及び（巡回シフトセレクタ５２０からの）巡回シフトの選択権を備えた基準信号プロセッサ５２１へ転送する。基準信号プロセッサ５２１は、Ｒｘアダプタ５１７から出力されたサンプル５１９を処理し、関連推定値５２３を取得する。これらの関連推定値５２３は、チャネル推定、チャネル品質推定、タイミング推定、周波数シフト推定であってもよいが、（ＲＳをキャリアとして使用する場合）データ又は制御の軟推定値又は硬推定値であってもよい。さらに、関連推定値５２３はまた、上述の推定値の任意の組み合わせ、及び／又は任意のその他の数量及び／又は関連する数量の推定値であってもよい。
【００２５】
図６は、本発明の教示により構築される別の例示的な送信機−受信機の対を示す図である。図６の実施例は、図５の実施例に類似したものであり、唯一の変更点は基準信号生成器６０１にある。図５の実施例とは異なり、図６に示す例示的な基準信号生成器では、巡回シフタの動作がＲＳ変調器の動作よりも前に行われる。基準シーケンスｍ＝ｆ（ｔ，ｘ）の選択は、送信機の基準信号セレクタ及び受信機の基準信号セレクタの両方において上述のように行われる。巡回シフトｓ＝ｇ（ｔ，ｘ）の選択も、送信機の巡回シフトセレクタ及び受信機の巡回シフトセレクタの両方において上述のように行われる。例示的な系列生成器６０４は基準シーケンスを生成し、その後この基準シーケンスは巡回シフタ６０６により巡回シフトされる。次に、巡回シフタ出力６０７がＲＳ変調器６０８により変調される。次に、ＲＳ変調器により生成された結果得られる基準信号６０９が（Ｔｘアダプタ６１０などにより）さらなる送信に適合され、この適合された基準信号６０９は、巡回プリフィックス又はガードタイムの挿入、デジタル−アナログ変換、上方／下方周波数変換、他の任意の動作、及び／又はこれらの組み合わせを含むことができる。Ｔｘアダプタ６１０は、適合された基準信号を無線で送信する少なくとも１つのアンテナ６１１を備えることができる。図６の例示的な装置の残りの部分（チャネル、受信機、他）は、図５に関して説明した例示的な装置のように動作する。
【００２６】
例示的な通信システムを図５及び図６に示したが、任意の数及び／又は（単複の）種類の代替の及び／又は追加のプロセッサ、装置、構成要素、回路、モジュール、インタフェース、その他を使用して、この図５及び／又は図６の通信システムを実行することができる。さらに、図５及び／又は図６に示したプロセッサ、装置、構成要素、回路、モジュール、要素、インタフェース等の１又はそれ以上を他の任意の方法で結合し、再配置し、削除し、及び／又は実行することができる。さらに、ファームウェア、ソフトウェア、ロジック、及び／又はハードウェアの任意の組み合わせとして、例示的なＲＳ生成器５０１及び６０１、例示的な推定器５１８及び６１８、例示的な送信アダプタ５１０、例示的な受信アダプタ５１７、及び／又は、より一般的には、例示的な通信システムを実行することができる。さらに、図５及び／又は図６に示したものの代わりに、又はこれらに加えて、図５及び／又は図６の例示的な通信システムは、プロセッサ、装置、構成要素、回路、インタフェース、及び／又はモジュールを含むことができ、及び／又は、図示のプロセッサ、装置、構成要素、回路、インタフェース、及び／又はモジュールのいずれか又は全てのうちの２以上を含むことができる。
【００２７】
図７は、ＥＵＴＲＡ無線規格における作業仮説により、時間をシステムフレーム単位（それぞれ１０ミリ秒）に、さらにこれをサブフレーム（それぞれ１ミリ秒）に、さらにこれをスロット（０．５ミリ秒）に分割した例示的な区分けを示す図である。また一方、時間を任意の単位、フレーム、サブフレーム、及び／又はスロットに分割することもできる。個々のスロットは、スロットの中央に配置された１つの基準信号（ＲＳ）を有する。個々のスロットの残りは、データ及びアップリンク制御送信のために予約されており、この制御送信は、（図４でＲＳに関して概説した）ＤＦＴ−ｓｐｒｅａｄ  ＯＦＤＭ（Ａ）変調を使用して行われる。基準信号は、７０４．０、７０４．１、他、７０４．１９と示されている。図７に示すように、例示的な継続時間７０１は、システムフレーム番号値ｔ1＝Ｌを有する。継続時間７０１は、（ｔ1＝Ｌ、及びサブフレームオフセットｔ2＝０を有する）複数の継続時間７０２．０、（ｔ1＝Ｌ、及びサブフレームオフセットｔ2＝１を有する）７０２．１、他、及び（ｔ1＝Ｌ、及びサブフレームオフセットｔ2＝９を有する）７０２．９に分割される。継続時間７０２．０はさらに、（ｔ1＝Ｌ、及びサブフレームオフセットｔ2＝０、スロットオフセットｔ3＝０を有する）スロット７０３．０及び（ｔ1＝Ｌ、及びサブフレームオフセットｔ2＝０、スロットオフセットｔ3＝１を有する）スロット７０３．１に分割される。継続時間７０２．１はさらに、（ｔ1＝Ｌ、及びサブフレームオフセットｔ2＝１、スロットオフセットｔ3＝０を有する）スロット７０３．２及び（ｔ1＝Ｌ、及びサブフレームオフセットｔ2＝１、スロットオフセットｔ3＝１を有する）スロット７０３．３に分割される。それ以降の継続時間７０２．３〜７０２．９も、同様に分割される（例えば、継続時間７０２．９は、（ｔ1＝Ｌ、及びサブフレームオフセットｔ2＝９、スロットオフセットｔ3＝０を有する）スロット７０３．１８及び（ｔ1＝Ｌ、及びサブフレームオフセットｔ2＝９、スロットオフセットｔ3＝１を有する）スロット７０３．１９にさらに分割される）。スロット、サブフレーム、又はシステムフレームの命令で、基準信号及び巡回シフトの選択が加わる場合がある。基準信号及び巡回シフトの選択がシステムフレームの命令で加わると、ｔ2（サブフレームオフセット）及びｔ3（スロットオフセット）は使用されない。基準信号及び巡回シフトの選択がサブフレームの命令で加わると、ｔ3（スロットオフセット）は使用されない。基準信号及び巡回シフトの選択がスロットの命令で加わると、ｔ1（システムフレームオフセット）、ｔ2（サブフレームオフセット）及びｔ3（スロットオフセット）の全てが使用される。システムフレーム番号は、通常ノードＢにより送信され、ＵＥにより復号されるが、残りのタイミングは、システムフレーム番号と、フレーム、サブフレーム、及びスロットをカウントするローカルな時間基準とから推測される。サブフレームの命令で加わる巡回シフト選択の例は、ｓ＝Ｋ［（１０ｔ1＋ｔ2＋ｘ1）ｍｏｄ  Ｐ］であり、この場合のＰは任意の数字であってもよい。
【００２８】
一般的に、基準シーケンス選択及び巡回シフト選択に使用される選択関数ｆ（ｔ，ｘ）及びｇ（ｔ，ｘ）を、任意の数の考えられる方法で定義し、実行することができる。これらの方法には、ａ）いくつかの中間量の計算を含むアルゴリズム的定義、ｂ）ルックアップテーブル、及び／又はｃ）ａ）とｂ）との組み合わせが含まれる。ルックアップテーブルは、選択関数を定義する最も一般的な方法であるが、メモリという観点から見れば常に最も効率的なものであるとは限らない。
【００２９】
いくつかの実施例では、選択関数ｆ（ｔ，ｘ）及びｇ（ｔ，ｘ）は、ネットワークトポロジに全く関係なく定義される。この場合、基準シーケンス及び巡回シフトの選択の（ランダム化された）性質により、永続的な同一チャネル干渉の可能性は小さくなるが、ゼロになる保証はされない。
【００３０】
別の実施例では、選択関数ｆ（ｔ，ｘ）及びｇ（ｔ，ｘ）は、ネットワークトポロジを考慮に入れることにより定義される。ネットワークトポロジとは、無線ネットワークのマップのことであり、個々のノードＢの近隣に関する情報を含む。選択関数ｆ（ｔ，ｘ）及びｇ（ｔ，ｘ）を割り当てる場合、共通の時間−周波数のリソースにおいて、隣接する又は近隣のセルが基準シーケンス及び巡回シフトに対して共通値を選択しないように配慮がなされる。多くの異なる方法によって上記を達成することができるが、この方法のいくつかの実施例について図８を参照しながら説明する。
【００３１】
図８及び図９の実施例では、ネットワークトポロジ情報８０１が地理的基準信号（ＲＳ）プランナ８０２に提供される。ネットワークトポロジ情報は、ノードＢの８０３．１、８０３．２、８０３．３（図にはこれらのみを示すが、さらに多くのノードを含めることもできる）などの位置及び近接性に関する情報を含むことができる。さらに、ネットワークトポロジ情報８０１は、個々のノードＢがサービスを提供するセルに関する情報を含む。例えば、図９に示すように、ノードＢの８０３．１はセル８０５．１Ａ、ノードＢの８０５．１Ｂ、ノードＢの８０５．１Ｃにサービスを提供する。例示的な地理的ＲＳプランナ８０２は、ネットワークトポロジ８０１を処理し、個々のノードＢへＲＳ構成メッセージを送信する。例示的な地理的ＲＳプランナ８０２は人間であってもよく、またこの地理的ＲＳプランナ８０２を特殊なソフトウェアにより実現し、及び／又はＲＳ構成データ及び／又は情報をノードＢに割り当てるための他の任意のツールによって実現してもよい。ＲＳ構成データ及び／又は情報を、任意の（単複の）プロトコル、（単複の）メッセージ、及び／又は（単複の）技術を介してノードＢに提供し、及び／又は供給することができる。例えば、１又はそれ以上のＲＳ構成メッセージ及び／又はデータパケットを使用して、ＲＳ構成データ及び／又は情報をノードＢへ送信し、及び／又はノードＢに直接ダウンロードすることができる。地理的ＲＳプランナ８０２を無線ネットワークコントローラ（ＲＮＣ）内に配置してもよいし、しなくてもよい。ノードＢ８０３．１は、ＲＳ構成メッセージ８０４．１を介して構成され、ノードＢ８０３．２は、ＲＳ構成メッセージ８０４．２を介して構成され、ノードＢ８０３．３は、ＲＳ構成メッセージ８０４．３を介して構成される。構成メッセージ８０４は、（そのノードＢの）セルＩＤにより暗黙的に結び付けられ（決定され）てもよいし、されなくてもよい。サービスを提供するＵＥとの通信に関して基準シーケンス及び巡回シフトの選択をどのように行うか判断する際に、ＲＳ構成メッセージが各個々のノードＢを支援する。例えば、ノードＢ８０３．１は（図９のセル８０５．１Ａ内の）ＵＥ８０８及び（セル８０５．１Ｃ内の）８０６と通信を行う。同時に、隣接するノードＢ８０３．２はＵＥ８０７と通信を行う。構成メッセージは、各個々のセル内のｆ（ｔ，ｘ）及びｇ（ｔ，ｘ）の選択に影響を与える場合がある。
【００３２】
例示的な地理的ＲＳプランナ８０２が行うことができるＲＳ地理的プランニングの例示的な方法として、個々のノードＢ内で使用する基準シーケンス（及び／又は巡回シフト）の組を限定することが挙げられる。上記の方法は、使用する基準シーケンスのインデックス「ｍ」の組を限定することにより行われる。この場合、地理的ＲＳプランナ８０２は、重複しない基準シーケンス（の組）を隣接するノードＢ（又は隣接するセル）に割り当てることにより、隣接するセル（又は隣接するノードＢ）が共通の基準シーケンスを使用しないことを確実にすることができる。この割り当ては構成メッセージ８０４を介して行われる。結論として、基準シーケンス及び巡回シフトの割り当て関数ｆ（ｔ，ｘ）及びｇ（ｔ，ｘ）は各々、個々のセル内でこの制約を反映することが好ましい。例えば、まず初めに、１又はそれ以上の割り当て関数ｆ（ｔ，ｘ）及びｇ（ｔ，ｘ）を個々のＵＥ及び／又はノードＢ内で生成し、計算し、選択し、及び事前に格納することができる。次に、個々のノードＢは（恐らくは各セルごとに）、限定された基準シーケンス及び／又は巡回シフトの組を指定するデータ及び／又は情報をＵＥへ送信（或いは別様に通知）する。ＵＥ及び／又はノードＢにより基準シーケンスの選択が行われると、割り当て関数ｆ（ｔ，ｘ）及びｇ（ｔ，ｘ）の結果が、限定された基準シーケンス及び／又は巡回シフトの組のインデックスにマッピングされる。例えば、割り当て関数ｆ（ｔ，ｘ）及びｇ（ｔ，ｘ）が、限定された送信された組の中には存在しない（「ｍ」及び／又は「ｓ」などの）インデックスを結果としてもたらした場合、上記限定された組の中から（いくつかの測定基準により）最も近いインデックスを選択することができる。したがって、割り当て処理の最終結果は、上記の限定を反映することになる。別の実施例では、割り当て関数ｆ（ｔ，ｘ）は、時間情報とは無関係であって（固定されて）もよく、この一方で巡回シフト割り当てｇ（ｔ，ｘ）を使用して、時間の経過と共に変化するＲＳ選択が行われる。
【００３３】
別の実施例では、セルラネットワークを介して共通のタイミング情報が保持される。地理的ＲＳプランナ８０２は、（サブフレームなどの）任意の所定の継続時間の間、隣接するノードＢ（又は隣接するセル）が基準シーケンス及び巡回シフトの共通の選択を使用しないことを確実にする。前述のように、基準シーケンス及び巡回シフトの最終的な割り当て関数ｆ（ｔ，ｘ）及びｇ（ｔ，ｘ）は各々、個々のセル内でこの制約を反映すべきである。
【００３４】
別の実施例では、ネットワークトポロジ８０１、地理的ＲＳプランナ８０２、及びＲＳ構成メッセージ８０４は不要であり省略される。このような実施例では、ＲＳの面から見れば、セルラネットワークはノードＢ間の通信リンクを介する自己設定型となる。図８を参照してわかるように、これらのリンクは、８０９．１２、８０９．２３、及び８０９．１３である。双方向性であるノードＢ間の通信リンクは、専用リンクであってもよく、インターネットバックボーンを介して実現できるものであってもよく、或いは他の任意の通信リンク（有線又は無線）であってもよい。したがって、このような実施例では、地理的に隣接するノードＢは、リンク８０９を使用してローカルに通信を行い、使用する基準シーケンスの組及び使用する巡回シフトの組に関する考えられる制約を上手く切り抜ける。例えば、図８を参照すると、ノードＢ８０３．１は、少なくとも１つの基準シーケンスの組を占めることができ、自身が使用する基準シーケンスの組（又はその割り当て関数ｆ（ｔ，ｘ）及びｇ（ｔ，ｘ））について隣接するノードＢに通知することができる。その後、隣接するノードＢである８０３．２及び８０３．３は、ノードＢ８０３．１によって使用される組からは自身の基準シーケンスを選択しない。次に、これらの制約が、セル内で最終的な割り当て関数ｆ（ｔ，ｘ）及びｇ（ｔ，ｘ）を通じて反映される。
【００３５】
図１０は、図８の地理的ＲＳプランナ８０２の例示的な実行方法を示す図である。図１０に示す例示的な地理的ＲＳプランナは１００１で表記されている。（１０年、年、日、時間、分、秒、フレーム、サブフレームなどの）個々の認可インターバルごとに、例示的な地理的ＲＳプランナ１００１は、アクティブなＵＥを含むことができる個々のノードＢの個々のセルに少なくとも１つの基準シーケンスインデックスを割り当てる。この割り当ては、基準シーケンスアロケータ１００２Ａを使用して行われる。認可インターバルは、１０年、年、日、秒、フレーム、サブフレーム、これらの任意の倍数、又は他の任意の時間単位などの事前に設定された任意の時間単位であってもよい。地理的ＲＳプランナ１００１は、この割り当てを「リアルタイム」で行い、個々の認可インターバルごとに個別に、構成メッセージをセルへ送信する。或いは、例示的な地理的ＲＳプランナは、個々の認可インターバルごとに基準シーケンスインデックスの割り当てを前もって事前計算し、自身が制御するノードＢへ通知することができる。また、地理的ＲＳプランナ１００１は、巡回シフトアロケータ１００２Ｂを含むことができ、この巡回シフトアロケータ１００２Ｂが、使用する巡回シフトを個々のセルにさらに割り当てる。巡回シフト割り当てもまた、認可インターバルごとに有効である（すなわち、異なる認可インターバルは異なる巡回シフトの組を使用することができる）。例示的なＲＳアロケータ１００２Ａ及び例示的な巡回シフトアロケータ１００２Ｂは、ネットワークトポロジ情報１００４を使用して基準信号及び／又は巡回シフトを生成し、及び／又は個々のセルに割り当てる。
【００３６】
割り当てを行うために、図１０の例示的な地理的ＲＳプランナ１００１は、任意の種類のインタフェース１００３を含む。図１０の例示的なインタフェース１００３は、無線基地局と通信可能に結合されており、無線基地局にデータ及び／又は制御ワードを提供して、自身の割り当て（例えば、個々の認可期間の間の基準シーケンス割り当てを推測できる元になる１又はそれ以上の値）で無線基地局をプログラム及び／又は構成する。例えば、上述のように、地理的ＲＳプランナ１００１は、１又はそれ以上のＲＳ構成メッセージを送信してＲＳ構成データ及び／又は情報を提供することができる。上記に加えて、或いは上記とは別に、例示的なインタフェース１００３は、１又はそれ以上の（構成ファイルなどの）機械アクセス可能データ構造に割り当てを格納することができ、この割り当てを無線基地局へ転送及び／又はロードすることができる。
【００３７】
図８の例示的な地理的ＲＳプランナ８０２の例示的な実行方法を図１０に示したが、任意の数及び／又は（単複の）種類の代替の及び／又は追加のプロセッサ、装置、構成要素、回路、モジュール、インタフェース、その他を使用してプランナ１００１を実行することができる。さらに、図１０に示したプロセッサ、装置、構成要素、回路、モジュール、要素、インタフェース、その他の１又はそれ以上を他の任意の方法で結合し、再配置し、削除し、及び／又は実行することができる。さらに、ファームウェア、ソフトウェア、ロジック、及び／又はハードウェアのあらゆる組み合わせとして、例示的な基準シーケンスアロケータ１００２Ａ、例示的な巡回シフトアロケータ１００２Ｂ、例示的なインタフェース１００３、及び／又は、より一般的には、前述の例示的なＲＳプランナ１００１を実行することができる。さらに、図１０に示したものの代わりに、及び／又はこれらに加えて、例示的なプランナ１００１は、プロセッサ、装置、構成要素、回路、インタフェース、及び／又はモジュールを含むことができ、及び／又は、図示のプロセッサ、装置、構成要素、回路、インタフェース、及び／又はモジュールのいずれか又は全てのうちの２以上を含むことができる。
【００３８】
図１１は、図８及び図１０の例示的な地理的ＲＳプランナのいずれか又は全てを実現するために実行することができる例示的な機械アクセス可能命令を示すフロー図である。また、図１２は、例示的な基準信号生成器のいずれか又は全てを実現するために実行することができる例示的な機械アクセス可能命令を示すフロー図である。プロセッサ、コントローラ、及び／又は他の任意の適当な処理装置によって、図１１及び／又は図１２の例示的な機械アクセス可能命令のいずれか又は全てを実行することができる。例えば、（図１３に関して以下で説明する例示的なプロセッサ１３０５などの）プロセッサに関連する、フラッシュメモリ、ＲＯＭ、及び／又はＲＡＭなどの有形媒体に格納されるコード化された命令で、図１１及び／又は図１２の例示的な機械アクセス可能命令を具体化することができる。或いは、（単複の）特定用途向け集積回路（（単複の）ＡＳＩＣ）、（単複の）プログラム可能論理装置（（単複の）ＰＬＤ）、（単複の）フィールドプログラム可能論理装置（（単複の）ＦＰＬＤ）、個別論理回路、ハードウェア、ファームウェア、その他の任意の（単複の）組み合わせを使用して、図１１及び／又は図１２の例示的なフロー図のいくつか又は全てを実行することができる。また、図１１及び／又は１２の例示的なフロー図の一部又は全てを手動で実行することもでき、或いは、先行技術のいずれかの任意の（単複の）組み合わせとして、例えば、ファームウェア、ソフトウェア、個別論理回路、及び／又はハードウェアのあらゆる組み合わせとして実行することもできる。さらに、図１１及び図１２の例示的な機械アクセス可能命令について図１１及び図１２のフロー図を参照しながら説明するが、当業者であれば、例示的な空間プランナ１００１及び／又は例示的な基準信号生成器を実行する他の多くの方法を採用できることを理解するであろう。例えば、ブロックの１又はそれ以上の実行順序を変更することができ、及び／又は説明するブロックの一部を変更、削除、下位分割、及び／又は結合することができる。さらに、当業者であれば、図１１及び／又は１２の例示的な機械アクセス可能命令を連続的に実行するか、及び／又は、例えば別個の処理スレッド、プロセッサ、装置、個別論理回路、回路等により、並行して実行できることを理解するであろう。
【００３９】
図１１の例示的な機械アクセス可能命令は、ネットワークトポロジ情報１１０１を使用して動作する。２つの処理、すなわち、１１０２Ａの（少なくとも１つの認可インターバルの間の）少なくとも１つの基準シーケンスインデックスの割り当てと、１１０２Ｂの（少なくとも１つの認可インターバルの間の）少なくとも１つの巡回シフトの割り当てとを並行して行うことができる。これらの割り当ての１又はそれ以上が、適当なノードＢへ伝達される（ブロック１１０４Ａ及び１１０４Ｂ）。空間プランナが、全てのセルが処理されたか否かを判断する（ブロック１１０５Ａ及び１１０５Ｂ）。全てのセルが処理されたわけでない場合、制御は次のセルの処理へと戻る。全てのセルが処理されると（ブロック１１０５Ａ及び１１０５Ｂ）、制御は図１１の例示的な機械アクセス可能命令から抜け出る。全ての認可インターバル及び全てのセルに対する割り当てが完了すると、処理を終了することができる。当業者であれば、図１１の例示的な機械アクセス可能命令を、他の実行に容易に適応させることができるということを理解するであろう。
【００４０】
図１２の例示的な機械アクセス可能命令は、個々の基準信号周期ごとに実行され、基準シーケンスセレクタの現在の基準信号周期中に送信される基準シーケンスの選択及び／又は識別から開始する（ブロック１２０１）。巡回シフトが実行されるようになっている場合（ブロック１２０２）、巡回シフトセレクタが、基準シーケンスの変更処理に適用される少なくとも１つの巡回シフトを選択する（ブロック１２０３）。次に、選択された基準シーケンスが変調され、巡回シフトされる（ただし、必ずしもこの順番ではない）。巡回シフトが必要でない場合（ブロック１２０２）、制御はブロック１２０６へ進み、ここで基準シーケンスが変調され、その後無線で送信される。
【００４１】
図１３は、例示的な地理的ＲＳプランナ８０２、及び／又は例示的な基準信号生成器１０１、２０１、５０１、及び６０２、例示的なＲＳ変調器３０１及び４０１、例示的な推定器５１８及び６１８、例示的な送信アダプタ５１０及び６１０、例示的な受信アダプタ５１７及び６１７、本明細書で説明した例示的な地理的ＲＳプランナ８０２及び１００１、及び／又は図１１及び１２の例示的な機械アクセス可能命令の（単複の）いずれかの部分及び／又は全てを実行するために使用及び／又はプログラムすることができる例示的なプロセッサプラットフォーム１３００の概略図である。例えば、１又はそれ以上のプロセッサ、プロセッサコア、マイクロコントローラ、ＤＳＰ、ＤＳＰコア、ＡＲＭプロセッサ、ＡＲＭコア等により、プロセッサプラットフォーム１３００を実現することができる。
【００４２】
図１３の実施例のプロセッサプラットフォーム１３００は、少なくとも１つのプログラム可能プロセッサ１３０５を含む。プロセッサ１３０５は、プロセッサ１３０５の（ＲＡＭ１３１５及び／又はＲＯＭ１３２０内などの）主記憶装置内に存在するコード化された命令１３１０及び／又は１３１２を実行する。プロセッサ１３０５は、プロセッサコア、プロセッサ、及び／又はマイクロコントローラなどの任意の種類の処理ユニットであってもよい。プロセッサ１３０５は、とりわけ、図１１及び／又は図１２の例示的な機械アクセス可能命令を実行して、本明細書で説明した地理的ＲＳプランナ８０２、及び／又は例示的な基準信号生成器１０１（図１）、２０１（図１）、５０１（図１）、及び６０１（図１）、及び／又は例示的な受信機５１８（図５）及び６１８（図６）の実施例のいずれか又は全てを実行することができる。プロセッサ１３０５は、（ＲＯＭ１３２０及び／又はＲＡＭ１３１５を含む）バス１３２５を介して主記憶装置と通信状態にある。ＤＲＡＭ、ＳＤＲＡＭ、及び／又は他の任意の種類のＲＡＭ装置により、ＲＡＭ１３１５を実現することができ、フラッシュメモリ及び／又は他の任意の所望のタイプのメモリ装置により、ＲＯＭを実現することができる。メモリ１３１５及び１３２０へのアクセスは、メモリコントローラ（図示せず）によって制御することができる。ＲＡＭ１３１５を使用して、例えば、前述の基準シーケンスの実施例、又は前述の割り当て関数ｆ（ｔ，ｘ）及び／又はｇ（ｔ，ｘ）のルックアップテーブルの実施例を格納し、及び／又は実行することができる。
【００４３】
プロセッサプラットフォーム１３００は、インタフェース回路１３３０を含むことができる。ＵＳＢインタフェース、ブルートゥースインタフェース、外部メモリインタフェース、シリアルポート、汎用入力／出力などの任意の種類のインタフェース規格により、インタフェース回路１３３０を実現することができる。１又はそれ以上の入力装置１３３５及び１又はそれ以上の出力装置１３４０が、インタフェース回路１３３０に接続される。入力装置１３３５及び／又は出力装置１３４０を使用して、基準シーケンス（のインデックス）、又は基準シーケンス順列割り当て、又は割り当て関数ｆ（ｔ，ｘ）及び／又はｇ（ｔ，ｘ）のいずれかを無線基地局に提供することができ、及び／又は時間及び／又は共有情報５１４及び／又は６１４を送受信することができる。
【００４４】
図１４は、（第１のノードＢがサービスを提供する）セル１４０１．１Ａ、１４０１．１Ｂ、及び１４０１．１Ｃ、（第２のノードＢがサービスを提供する）セル１４０１．２Ａ、１４０１．２Ｂ、及び１４０１．２Ｃ、並びに（第３ノードＢがサービスを提供する）セル１４０１．３Ａ、１４０１．３Ｂ、及び１４０１．３Ｃを含む例示的なセルラネットワークを示す図である。２つの連続する認可インターバルに関するセルラネットワークを示す。第１の認可インターバルでは、セル１４０１．１Ａ内のＵＥは、インデックスｍ＝１を有する基準シーケンス、並びに０及び３Ｋの巡回シフトを使用する。この場合、巡回シフト０は、巡回シフトが必要でないことを意味し、巡回シフト「ｎＫ」は、信号を「ｎ×Ｋ」のサンプル、ビット、及び／又は値によってシフトすべきであることを意味し、この場合Ｋは、いつかの実施例において基準シーケンスの長さに依存する場合がある任意の事前に設定した整数である。第２の認可インターバルでは、１４０１．１Ａ内のＵＥは、インデックスｍ＝２を有する基準シーケンス、並びにＫ及び４Ｋの巡回シフトを使用する。例えば、セル１４０１．１Ａ内のＵＥは、第１の認可インターバルのいずれかの部分の間に、「ｍ＝１」及び巡回シフト「ｓ＝３Ｋ」により定義される第１の基準信号を送信し、第１の認可インターバルの別の部分の間に、「ｍ＝１」及び巡回シフト「ｓ＝０」により定義される第２の基準信号を送信することができる。さらに、ＵＥは、第２の認可インターバルのいずれかの部分の間に、「ｍ＝２」及び巡回シフト「ｓ＝４Ｋ」により定義される第３の基準信号を送信し、第２の認可インターバルの別の部分の間に、「ｍ＝２」及び巡回シフト「ｓ＝Ｋ」により定義される第４の基準信号を送信することができる。例えば、図６を参照してわかるように、第１の認可インターバルの部分の間に、基準シーケンスセレクタ６０２は「ｍ＝１」を選択、生成、及び／又は計算し、巡回シフトセレクタ６０３は「ｓ＝３Ｋ」を選択、生成、及び／又は計算する。したがって、図１４のセルラネットワークは、基準シーケンス及び巡回シフトの両方のホッピングを採用することになる。図１４は、ランダム化された、又は地理的にプランニングされたホッピング、或いはこれらの組み合わせを示すことができる。
【００４５】
図１５は、（第１のノードＢがサービスを提供する）セル１５０１．１Ａ、１５０１．１Ｂ、及び１５０１．１Ｃ、（第２のノードＢがサービスを提供する）セル１５０１．２Ａ、１５０１．２Ｂ、及び１５０１．２Ｃ、並びに（第３のノードＢがサービスを提供する）セル１５０１．３Ａ、１５０１．３Ｂ、及び１５０１．３Ｃを含む例示的なセルラネットワークを示す図である。２つの連続する認可インターバルに関するセルラネットワークを示す。第１の認可インターバルでは、セル１５０１．１Ａ内のＵＥは、１及び２のインデックスｍを有する基準シーケンス、並びに０及び３Ｋの巡回シフトを使用する。第２の認可インターバルでは、１５０１．１Ａ内のＵＥは、７及び８のインデックスｍを有する基準シーケンス、並びに０及び３Ｋの巡回シフトを使用する。例えば、セル１５０１．１Ａ内のＵＥは、第１の認可インターバルのいずれかの部分の間に、「ｍ＝１」及び巡回シフト「ｓ＝３Ｋ」により定義される第１の基準信号を送信し、第１の認可インターバルの別の部分の間に、「ｍ＝１」及び巡回シフト「ｓ＝３Ｋ」により定義される第２の基準信号を送信することができる。さらに、ＵＥは、第２の認可インターバルのいずれかの部分の間に、「ｍ＝７」及び巡回シフト「ｓ＝３Ｋ」により定義される第３の基準信号を送信し、第２の認可インターバルの別の部分の間に、「ｍ＝８」及び巡回シフト「ｓ＝３Ｋ」により定義される第４の基準信号を送信することができる。例えば、図６を参照してわかるように、第１の認可インターバルの部分の間に、基準シーケンスセレクタ６０２は「ｍ＝１」を選択、生成、及び／又は計算し、巡回シフトセレクタ６０３は「ｓ＝３Ｋ」を選択、生成、及び／又は計算する。したがって、図１４のセルラネットワークは、基準シーケンスのホッピングを採用することになる。
【００４６】
図１６は、（第１のノードＢがサービスを提供する）セル１６０１．１Ａ、１６０１．１Ｂ、及び１６０１．１Ｃ、（第２のノードＢがサービスを提供する）セル１６０１．２Ａ、１６０１．２Ｂ、及び１６０１．２Ｃ、並びに（第３のノードＢがサービスを提供する）セル１６０１．３Ａ、１６０１．３Ｂ、及び１６０１．３Ｃを含む例示的なセルラネットワークを示す図である。２つの連続する認可インターバルに関するセルラネットワークを示す。第１の認可インターバルでは、セル１６０１．１Ａ内のＵＥは、インデックスｍ＝１を有する基準シーケンス、並びに０及び３Ｋの巡回シフトを使用する。第２の認可インターバルでは、１６０１．１Ａ内のＵＥは、インデックスｍ＝１を有する基準シーケンス、並びにＫ及び４Ｋの巡回シフトを使用する。例えば、セル１６０１．１Ａ内のＵＥは、第１の認可インターバルのいずれかの部分の間に、「ｍ＝１」及び巡回シフト「ｓ＝３Ｋ」により定義される第１の基準信号を送信し、第１の認可インターバルの別の部分の間に、「ｍ＝１」及び巡回シフト「ｓ＝０」により定義される第２の基準信号を送信することができる。さらに、ＵＥは、第２の認可インターバルのいずれかの部分の間に、「ｍ＝２」及び巡回シフト「ｓ＝４Ｋ」により定義される第３の基準信号を送信し、第２の認可インターバルの別の部分の間に、「ｍ＝１」及び巡回シフト「ｓ＝Ｋ」により定義される第４の基準信号を送信することができる。例えば、図６を参照してわかるように、第１の認可インターバルの部分の間に、基準シーケンスセレクタ６０２は「ｍ＝１」を選択、生成、及び／又は計算し、巡回シフトセレクタ６０３は「ｓ＝３Ｋ」を選択、生成、及び／又は計算する。したがって、図１６のセルラネットワークは、巡回シフトのホッピングを採用することになる。図１６は、ランダム化された、又は地理的にプランニングされたホッピング、或いはこれらの組み合わせを示すことができる。
【００４７】
本明細書で使用する「空間的にプランニングされた一連の参照リスト」という語句は、隣接領域との相対的な物理的位置に基づいて、（通信セル及び／又はセクタなどの）異なる無線領域に割り当てられる１又はそれ以上の基準シーケンスリストのことを意味する（この場合、個々の空でないリストは、少なくとも１つの基準シーケンスを含み、及び／又は識別する）。個々の基準シーケンスリストは、少なくとも１つの認可インターバルの間に無線領域に割り当てられ、及び／又は割り振られる。例えば、図１５では、第１の認可インターバルの間に、インデックス｛１，２｝を有する基準シーケンスリストが領域１５０１．１Ａに割り当てられ、及び／又は割り振られ、第２の認可インターバルの間に、リスト｛７，８｝が同じ領域１５０１．１Ａに割り当てられ、及び／又は割り振られる。したがって、領域１５０１．１Ａに割り当てられた適切な一連の参照リストは、｛１，２｝｛７，８｝ということになる。異なる一連の参照リストが、隣接領域との相対的な物理的位置に基づいて、（通信セル及び／又はセクタなどの）異なる無線領域に割り当てられる。したがって、本明細書で使用する「一連の参照リスト」という用語は、順序付けられた一連の基準シーケンスのリストのことを意味し、この連鎖における第１のリストは第１の認可インターバル中に使用され、連鎖における次のリストは第２の認可インターバル中に使用される。同様に、巡回シフトも、基準シーケンスに関して上述したように構築される一連のシフトリストによって定義及び／又は指定することができる。さらに、巡回シフトと基準シーケンスとの両方を含む一連のリストを使用して、巡回シフト及び基準シーケンスを定義及び／又は指定することができる。
【００４８】
図１７は、個々の参照リストが１つの基準シーケンスのみを識別する場合の実施例を示す図である。無線領域１７０１に割り当てられた一連の参照リストは［｛２｝｛３｝｛４｝］であり、無線領域１７０２に割り当てられた一連の参照リストは、［｛１｝｛２｝｛３｝］であり、無線領域１７０２に割り当てられた一連の参照リストは、［｛３｝｛４｝｛５｝］である。したがって、図１７に示すように、例示的な無線領域１７０１は、順序付けられた連鎖Ｐ１：［ｍ＝２、ｍ＝３、ｍ＝４］における基準シーケンスを使用する。同様に、例示的な無線領域１７０２は、順序付けられた連鎖Ｐ２：［ｍ＝１、ｍ＝２、ｍ＝３］における基準シーケンスを使用し、例示的な無線領域１７０３は、順序付けられた連鎖Ｐ３：［ｍ＝３、ｍ＝４、ｍ＝５］における基準シーケンスを使用する。いくつかの実施例では、装置が一連の参照リストの最後に達すると、順序付けられた連鎖の最初から参照リストを使用して送信を続ける。一連の参照リストＰ１、Ｐ２等は、任意の所定の認可インターバルの間、参照リストに含まれる基準シーケンスの個々の対の相互相関が実質的にゼロになるように選択されるため、異なる一連の参照リストに従う領域内の基準信号を送信することにより、実質的に、例示的な領域１７０１〜１７０３の例示的な装置間の干渉が低減するようになる。図１７の実施例では、領域１７０１〜１７０３を制御するノードＢに連鎖が割り当てられるが、当業者であれば、同様に、ノードＢのセル（又はセクタ）に連鎖を割り当てることができることを理解するであろう（例えば、図１３〜図１５及び／又は図１８〜図２０を参照）。順序付けられた一連の参照リストをダウンリンクにおいて同様に使用することもできる。
【００４９】
異なる無線領域に割り当てられた異なる一連の参照リストは、利用可能な全ての基準シーケンスインデックスの組から構築される。すなわち、個々の一連の参照リストは、異なる順序における基準シーケンスの送信を表すことができる。いくつかの実施例では、一連の参照リストは、最終的な割り当て関数ｆ（ｔ，ｘ）及び／又はｇ（ｔ，ｘ）に対して制限を課すことができる。また一方、参照リストの参照連鎖を任意の方法で定義及び／又は指定することができる。例えば、個々の参照リストは空であってもよく、或いは１又はそれ以上のインデックスを含んでいてもよい。さらに、個々の一連の参照リストは、全ての基準シーケンスインデックスを含んでもよいし、含まなくてもよい。同じ又は異なる連鎖から得られる異なる参照リストが必ずしも同じ個数の基準シーケンスを含んでいる必要はない。基準シーケンス自体は順番に指定される必要はない。さらに、（隣接していない及び／又は近接していないセル及び／又はセルセクタなどの）地理的に離れた２つの領域は、干渉の危険性がほとんど又は全く無いため、同じ一連の参照リストに従って基準信号を送信することができる。隣接する無線領域の装置が、同じ基準信号周期中に同じ巡回シフトを用いて同じ基準シーケンスを送信することのないように一連の参照リストを選択し、これを無線領域に割り当てることができる。本明細書で使用する「隣接する領域」とは、２つの領域の一方内に配置された装置が送信した無線信号を、２つの領域の他方内に配置された装置が（恐らくは簡易干渉として）受信できるほど互いに十分に近接して配置された任意の２つのセルのことである。しかしながら、隣接しているとは言うものの、この２つの領域は、物理的な境界及び／又は境界線を共有する必要はない。特定の領域の装置は、個々の基準信号期間中に同じ基準信号を送信することができ、及び／又は個々の信号期間内に同じ基準信号の（巡回シフトされたバージョンなどの）異なる修正バージョンを送信することができる。最終的に、一連の巡回シフトリストを構築し、使用し、これらを異なる無線領域に割り当てることも可能である。
【００５０】
いくつかの実施例では、図８の例示的な地理的ＲＳプランナ８０２は、一連の参照リスト及び／又は一連のシフトリスト値を決定し、及び／又は領域（すなわち、セル及び／又はセルセクタ）及び／又はＵＥに割り当てる。例示的な地理的ＲＳプランナ８０２は、１又はそれ以上の一連の参照リストを形成し、領域の相対的な地理的位置に基づいてこれらを領域に割り当てる。例示的な地理的ＲＳプランナ８０２は、無線通信領域の（絶対位置及び／又は相対位置などの）地理的位置を定めるネットワークトポロジ情報８０１に基づいて領域に一連の参照リストを割り当てる。任意の種類の（単複の）データ構造を使用して、例示的なネットワークトポロジ情報８０１を格納し、及び／又は実装することができる。地理的ＲＳプランナ８０２は、一連のシフトリストも同様に形成し、及び／又は割り当てる。例示的な地理的ＲＳプランナ８０２は、一連の参照リスト（或いはこれらのリストを計算及び／又は推測できる元となる１又はそれ以上の値）、及び／又は一連のシフトリスト（或いはこれらのリストを計算及び／又は推測できる元となる１又はそれ以上の値）を領域、及び／又はより具体的には、基地局が使用し、及び基地局が自身の関連するＵＥに提供する無線基地局に提供する。
【００５１】
図５及び図６に関連して上述したように、無線領域、無線基地局、及び／又はＵＥによる一連の参照リスト及び／又は一連のシフトリストの使用を制御及び／又は調整するために、無線通信システムは時間及び共有情報５１４、６１５を含み、及び／又は利用することができる。上述の例示的な時間及び共有情報５１４、６１４に加え、時間及び共有情報５１４、６１４の追加の実施例は、以下に限定されるわけではないが、任意の特定の時間中にいずれの基準シーケンス及び／又は巡回シフトを使用すべきかを基地局及び／又はＵＥが判断し、計算し、及び／又は推測できるようにする任意の数及び／又は（単複の）種類の時間信号、タイミングビーコン、クロック、識別割当器等を含む。例えば、時間及び共有情報５１４、６１４は、ＯＦＤＭフレーム及び／又はサブフレームカウントを表す値であってもよい。
【００５２】
図１８、図１９、及び図２０は、一連の参照リストの無線領域への（例えば、無線通信システムの無線通信セル及び／又は無線通信セルのセクタへの）例示的な割り当てを示す図である。図１８、図１９、及び図２０の実施例では、ノードＢがカバーする個々のエリアは３つのセルに分割される。例えば、図１８の例示的なエリア１８００は、３つのセル、１８０５、１８１０、及び１８１５に分割される。領域に対する例示的な一連の参照リストを図１８、図１９、及び図２０に示すが、当業者であれば、任意の（単複の）パターンで、及び／又は任意の基準を満たすように一連の参照リストを割り当てることができることを理解するであろう。
【００５３】
図１８に示す実施例では、同じ（単複の）一連の参照リストが個々のノードＢに割り当てられる（全てのノードＢがＰ１、Ｐ２、Ｐ３を使用する）。しかしながら、ノードＢに属する個々のセルには、異なる一連の参照リストが割り当てられる。例えば、領域１８０５には一連の参照リストＰ１が割り当てられ、領域１８１０には一連の参照リストＰ２が割り当てられ、領域１８１５には一連の参照リストＰ３が割り当てられる。一連のシフトリストも同様に割り当てることができる。したがって、特定の領域の装置は、（同じ及び／又は異なるセルの）いずれの隣接領域の装置とも異なる一連の参照リスト及び／又は一連のシフトリストを使用し、したがって、実質的に装置間の干渉が低減されることになる。
【００５４】
図１９に示す実施例では、個々のノードＢの領域（１９０５、１９１５、及び１９１０）の全てのセルに同じ一連の参照リストが割り当てられる。しかしながら、個々のセルに割り当てられる一連の参照リストは、隣接ノードＢのセルの各々に割り当てられたいずれの一連の参照リストとも異なる。一連のシフトリストも同様に割り当てることができる。したがって、（セル１９０５などの）特定の領域の装置は、（セル１９１０及び１９１５などの）いずれの隣接領域の装置とも異なる一連の参照リスト（Ｐ３）及び／又は異なる一連のシフトリストを使用し、したがって、実質的に装置間の干渉が低減されることになる。前述のように、図１９を参照してわかるように、一連のシフトリストも割り当て可能である。
【００５５】
図２０に示す実施例では、個々のノードＢの個々のセルに異なる一連の参照リストが割り当てられる。一連のシフトリストも同様に割り当てることができる。したがって、特定の領域の装置は、いずれの隣接領域の装置とも異なる一連の参照リスト及び／又は異なる一連のシフトリストを使用し、したがって、実質的に装置間の干渉が低減されることになる。
【００５６】
例示的な無線基地局及び／又は例示的なＵＥを、例えば、３ＧＰＰによって現在策定中のＥ−ＵＴＲＡ仕様などの１又はそれ以上の過去、現在、及び／又は将来の有線及び／又は無線通信規格及び／又は仕様に従って、基準信号及び／又はシンボルを変調し、送信するように実現することができる。これに対し、前述の無線装置を、例えば、ＩＥＥＥ）８０２．１１ｘファミリの規格、ＷＣＤＭＡ、ＴＤＭＡ、ＦＤＭＡ、ＯＦＤＭＡ、ＳＣ−ＯＦＤＭＡ、ＤＦＴ−ｓｐｒｅａｄ  ＯＦＤＭＡ、及び／又はこれらの任意の組み合わせなどの任意の追加の及び／又は代替の、過去、現在、及び／又は（単複の）将来の技術、（単複の）規格及び／又は（単複の）仕様に従って、基準信号及び／又はシンボルを変調し、送信するように実現することもできる。
【００５７】
本明細書では基準信号を割り当てるための方法及び装置について説明したが、当業者であれば、説明した方法及び装置を使用して、例えば、無線ローカルエリアネットワーク（ＷＬＡＮ）、メッシュネットワーク、及び／又はセンサネットワークなどの無線通信システムのための他の種類の基準信号を割り当てることもできることを理解するであろう。さらに、本明細書で説明した方法及び／又は装置を使用して、公衆交換電話ネットワーク（ＰＳＴＮ）システム、（セルラなどの）公衆陸上移動ネットワーク（ＰＬＭＮ）システム、無線流通システム、有線又はケーブル流通システム、同軸ケーブル流通システム、極超短波（ＵＨＦ）／超短波（ＶＨＦ）無線周波数システム、衛星又は他の地球外システム、セルラ流通システム、電力線報知システム、光ファイバーネットワーク、及び／又はこれらの装置、システム、及び／又はネットワークの任意の組み合わせ及び／又は混成などの他のタイプの通信システムのためのパイロット及び／又は基準信号を制御することができる。
【００５８】
本発明が関与する当業者であれば、前述の実施例は例示的なものにすぎず、特許請求の範囲に記載された発明の範囲内でこれらの多くの他の実施形態及び変形例が存在することを理解するであろう。
【図面の簡単な説明】
【００５９】
【図１】例示的な基準信号生成器を示す図である。
【図２】別の例示的な基準信号生成器を示す図である。
【図３】例示的な基準信号（ＲＳ）変調器を示す図である。
【図４】別の例示的な基準信号（ＲＳ）変調器を示す図である。
【図５】共通タイミング及び共有情報が、通信リンクへの基準信号及び巡回シフトの割り当てに使用される例示的な装置を示す図である。
【図６】共通タイミング及び共有情報が、通信リンクへの基準信号及び巡回シフトの割り当てに使用される別の例示的な装置を示す図である。
【図７】基準信号の割り当てに使用される例示的な時間の区分けを示す図である。
【図８】基準信号の空間的プラニングのための例示的な装置を示す図である。
【図９】空間的にプラニングされた基準信号を採用する例示的なシステムを示す図である。
【図１０】例示的な地理的基準信号（ＲＳ）プランナを示す図である。
【図１１】図９及び図１０の例示的な地理的基準信号（ＲＳ）プランナのいずれか又は全てを実現するために実行することができる例示的な機械アクセス可能命令を表すフロー図である。
【図１２】図１の基準信号生成器のいずれか又は全てを実現するために実行することができる例示的な機械アクセス可能命令を表すフロー図である。
【図１３】図１１及び／又は１２の例示的な機械アクセス可能命令を実行するために、及び／又は本明細書で説明した基準信号を割り当てるための例示的な方法及び装置を実現するために、使用及び／又はプログラム可能な例示的なプロセッサプラットフォームの概略図である。
【図１４】基準信号の無線領域への例示的な割り当てを示す図である。
【図１５】基準信号の無線領域への例示的な割り当てを示す図である。
【図１６】基準信号の無線領域への例示的な割り当てを示す図である。
【図１７】基準信号の無線領域への例示的な割り当てを示す図である。
【図１８】基準信号の無線領域への例示的な割り当てを示す図である。
【図１９】基準信号の無線領域への例示的な割り当てを示す図である。
【図２０】基準信号の無線領域への例示的な割り当てを示す図である。
【図１】
2009535936.tif 000003
【図２】
2009535936.tif 000004
【図３】
2009535936.tif 000005
【図４】
2009535936.tif 000006
【図５】
2009535936.tif 000007
【図６】
2009535936.tif 000008
【図７】
2009535936.tif 000009
【図８】
2009535936.tif 000010
【図９】
2009535936.tif 000011
【図１０】
2009535936.tif 000012
【図１１】
2009535936.tif 000013
【図１２】
2009535936.tif 000014
【図１３】
2009535936.tif 000015
【図１４】
2009535936.tif 000016
【図１５】
2009535936.tif 000017
【図１６】
2009535936.tif 000018
【図１７】
2009535936.tif 000019
【図１８】
2009535936.tif 000020
【図１９】
2009535936.tif 000021
【図２０】
2009535936.tif 000022
【国際調査報告】
2009535936.tif 000023